(57)【要約】【課題】  胸部が透けて見えたり、乳頭部が外面に突出するのを防ぐナイトウェアを提供すること。【解決手段】  ナイトウェア本体１の胸部裏面に裏当布２，２’を重ねて、胸部を二重にしてある。裏当布２，２’の下端縁１０は、ナイトウェア本体１から分離することが望ましい。【選択図】          図１
2005344220.tif 000002
【特許請求の範囲】
【請求項１】
ナイトウェア本体の胸部裏面に裏当布を重ねて、胸部を二重にしたことを特徴とするナイトウェア。
【請求項２】
前記裏当布の下端縁を前記ナイトウェア本体から分離し、前記裏当布の袖刳り部と前記ナイトウェア本体の袖刳り部とを分離するか、又は、所々止め付けた請求項１に記載のナイトウェア。
【請求項３】
前記裏当布の下端縁を前記ナイトウェア本体から分離し、前記裏当布の袖刳り部と前記ナイトウェア本体の袖刳り部とを全長に亘って止め付けた請求項１に記載のナイトウェア。
【発明の詳細な説明】
【技術分野】
【０００１】
本発明は、ナイトウェアに関する。
【背景技術】
【０００２】
一般的なナイトウェアは、裏地を取り付けておらず、一重仕立てとしてある。
ところで、入浴後にナイトウェアを着用し、就寝まではナイトウェアで過ごすのが普通であり、通常、ナイトウェアの下にブラジャーは着用しない。
また、出勤する女性は、起床後もナイトウェアを着用したまま家事をし、出勤直前に初めて着替えることが多い。
睡眠時以外に上記のような一重のナイトウェアをブラジャー無しで着用していると、乳頭部が外面に突出したり、胸部が透けて見えるなどの不具合がある。
【発明の開示】
【発明が解決しようとする課題】
【０００３】
本発明が解決しようとする課題は、胸部が透けて見えたり、乳頭部が外面に突出するのを防ぐことができるナイトウェアを提供することにある。
【課題を解決するための手段】
【０００４】
本発明のナイトウェアは、ナイトウェア本体の胸部裏面に裏当布を重ねて、胸部を二重にしてある。
前記裏当布の下端縁を前記ナイトウェア本体から分離し、前記裏当布の袖刳り部と前記ナイトウェア本体の袖刳り部とを分離するか、又は、所々止めると良い。
或いは、前記裏当布の下端縁を前記ナイトウェア本体から分離し、前記裏当布の袖刳り部と前記ナイトウェア本体の袖刳り部とを全長に亘って止め付けることもできる。
【発明の効果】
【０００５】
請求項１に係る発明によれば、胸部が透けて見えたり、乳頭部が外面に突出するのを防ぐため、部屋着として安心して着用することができ、しかも、胸部のみに裏当布を重ねたので、ナイトウェア全体が嵩張らず、コストも低く抑えることができる。
請求項２に係る発明によれば、裏当布とナイトウェア本体とが、裏当部の下端縁及び袖刳り部において互いに独立して伸縮するため、身体の動きを拘束しにくく、快適な着用感が得られて、安眠を妨害することが無く、ナイトウェア本体に裏当布の下端縁を止め付ける縫い目が現れないので、体裁がよい。
請求項３に係る発明によれば、請求項２に係る発明に比べるとやや身体の自由度が低下するが、着用時に誤って、裏当布の下端縁とナイトウェア本体との間に手を差し込んでも、袖刳り部分で止められるため、腕や指がそのままアームホールを突き抜けて不快感を与える虞がない。
【発明を実施するための最良の形態】
【０００６】
以下、本発明の実施例を図面に基づいて詳細に説明する。
【実施例１】
【０００７】
図１は、実施例１を示し、前開き・袖付きタイプのナイトウェアの裏面図である。
このナイトウェアは、ナイトウェア本体１の胸部裏面に左右一対の裏当布２，２’を重ねて成り、胸部が二重になっている。
ナイトウェア本体１は、ポリエステル、アクリル等の合成繊維や綿を素材とする編布或いは織布で形成され、別体の左右の前身頃３，３’を有する。
また、ナイトウェア本体１の裏面には、その襟部上端及び前身端に沿って見返し４が装着されている。
【０００８】
裏当布２，２’は柔らかい純綿素材より成り、ナイトウェア本体１が合成繊維製であっても、敏感な胸部を保護するようになっている。
また、裏当布２，２’は、ナイトウェア本体１が編布であればメリヤス等の編布とし、ナイトウェア本体１が織布であれば二重ガーゼ等の織布とする。これにより、ナイトウェア本体１と裏当布２，２’とで伸縮性が著しく異なった結果、両者の縫着部に皺が発生するのを防ぐことができる。
裏当布２，２’は、前身頃３，３’の裏面の肩縫部８から胸部に亘って重合されるが、裏当布２，２’の袖刳り部５は、ナイトウェア本体１の袖刳り部６よりも前身頃３，３’の内側へやや後退している。
【０００９】
裏当布２，２’の上端は、前身頃３，３’と後身頃７との肩縫部８へ縫着され、裏当布２，２’の後端は、前身頃３，３’と後身頃７との脇縫部９へ縫着される。また、裏当布２，２’の前端は、前身頃３，３’と見返し４の間に挿入されて、見返し４の内側縁に縫着される。
従って、裏当布２，２’を止め付けるための縫い目はナイトウェア本体１の外面に現れない。
そして、裏当布２，２’の袖刳り部５はナイトウェア本体１の袖刳り部６から分離し、裏当布２，２’の下端縁１０は前身頃３，３’から分離して、ナイトウェア本体１の伸縮を阻害せず、着用者の動きを拘束しないため、安眠を妨げる心配がない。
【実施例２】
【００１０】
図２は、実施例２を示し、前閉じ・袖付きタイプのナイトウェアの裏面図である。
ナイトウェア本体１は、左右連続した１枚の前身頃３を有し、前身頃３の胸部裏面に１枚の裏当布２を重ねて、胸部を二重にしてある。
前身頃３の襟刳り部１３の中央から下方に向かって、開閉自在な短い前あき口１１を形成してある。
裏当布２は、前身頃３の肩縫部８から胸部に亘って重合され、裏当布２の襟刳り中央には、前身頃３の前あき口１１と対応するスリット１２が形成される。また、裏当布２の袖刳り部５は、ナイトウェア本体１の袖刳り部６よりも前身頃３の内側へやや後退している。
【００１１】
さらに、裏当布２の上端が前身頃３と後身頃７との肩縫部８へ、裏当布２の襟刳り部が前身頃３の襟刳り部１３へ、裏当布２のスリット１２の両側縁が前身頃３の前あき口１１の両側へ、裏当布２の両側端が前身頃３と後身頃７との脇縫部９へそれぞれ縫着されている。
そして、裏当布２の下端縁１０は前身頃３から分離し、裏当布２の袖刳り部５とナイトウェア本体１の袖刳り部６とが分離している。
その他の構成及び機能は、実施例１とほぼ同様である。
【実施例３】
【００１２】
図３は、実施例３を示し、前閉じ・袖無しタイプのナイトウェアの裏面図である。
ナイトウェア本体１の前身頃３の裏面において、肩縫部８から胸部に亘って、前身頃３の上部とほぼ同形状の裏当布２を重合し、ナイトウェアの胸部を二重にしてある。
裏当布２の上端はナイトウェア本体１の肩縫部８へ縫着され、裏当布２の襟刳り部は前身頃３の襟刳り部１３へ縫着され、裏当布２の両側端はナイトウェア本体１の脇縫部９へ縫着される。
また、裏当布２の下端縁１０は前身頃３から分離している。
【００１３】
さらに、裏当布２の袖刳り部５とナイトウェア本体１の袖刳り部６とは、所々で縫い止められ、この縫止部１５間において裏当布２とナイトウェア本体１とは独立して伸縮するので、着用者の身動きを拘束せず、安眠を妨げない。
また、ナイトウェア本体１は袖無しであるが、裏当布２とナイトウェア本体１とは縫止部１５で止め付けられているので、ナイトウェア本体１の袖刳り部６から裏当布２がはみ出すことが無く、体裁がよい。
その他の構成及び機能は実施例１とほぼ同様である。
【実施例４】
【００１４】
図４は、実施例４を示し、前閉じ・袖無しタイプのナイトウェアの裏面図である。
ナイトウェア本体１の前身頃３の裏面において、肩縫部８から胸部に亘って、前身頃３の上部とほぼ同形状の裏当布２を重合し、ナイトウェアの胸部を二重にしてある。
裏当布２の上端はナイトウェア本体１の肩縫部８へ縫着され、裏当布２の襟刳り部は前身頃３の襟刳り部１３へ縫着され、裏当布２の両側端はナイトウェア本体１の脇縫部９へ縫着される。
また、裏当布２の下端縁１０は前身頃３から分離し、裏当布２の袖刳り部５とナイトウェア本体１の袖刳り部６とは、全長に亘って縫着されている。
【００１５】
このナイトウェアを着用する際に、誤って裏当布２の下端縁１０と前身頃３との間に手を差し込んでも、縫着された袖刳り部分で止められるので、腕や指がアームホールを突き抜けてしまうことがない。
また、ナイトウェア本体１と裏当布２とは、袖刳り部５，６において縫着されているので、身体の動きを束縛しないように、ナイトウェア本体１と裏当布２との伸縮率及び伸縮方向を概ね一致させる必要がある。
その他の構成は、実施例３とほぼ同様である。
【００１６】
なお、ナイトウェアは、上衣と下衣とが分離したパジャマでも、上下が連続したネグリジェでも良い。
また、袖付のナイトウェアにおいて、裏当布の下端縁をナイトウェア本体から分離した場合は、着用時に誤った個所に手を通さないように、ナイトウェア本体の袖刳り部と裏当布の袖刳り部とを全長に亘って縫着することも可能である。
さらに、ナイトウェア本体の襟刳り部と裏当布の襟刳り部とは、縫着せずに、分離することも、所々止め付けることもできる。
【図面の簡単な説明】
【００１７】
【図１】実施例１を示すナイトウェアの要部裏面図。
【図２】実施例２を示すナイトウェアの要部裏面図。
【図３】実施例３を示すナイトウェアの要部裏面図。
【図４】実施例４を示すナイトウェアの要部裏面図。
【符号の説明】
【００１８】
１，  ナイトウェア本体
２，２’  裏当布
３，３’  前身頃
４  見返し
５  裏当布の袖刳り部
６  ナイトウェア本体の袖刳り部
７  後身頃
８  肩縫部
９  脇縫部
１０  裏当布の下端縁
１１  前あき口
１２  スリット
１３  襟刳り部
１５  縫止部
【図１】
2005344220.tif 000003
【図２】
2005344220.tif 000004
【図３】
2005344220.tif 000005
【図４】
2005344220.tif 000006